(57)【要約】【課題】適正化された形状やマーク幅を有する記録マークを形成する情報記録方法、情報記録装置、記録媒体を好適に提供すること。【解決手段】記録マークの中央部分のマーク幅を適正に形成することができる情報記録方法と記録装置と記録媒体とが提供される。本発明は、第１パルスと第２パルスとを含むパルス列を生成するステップと、ある線速度で情報記録媒体を回転させながら情報記録媒体にパルス列を照射して記録マークおよびスペースのうちの少なくとも１つを情報記録媒体上に形成するステップとを包含する。第１パルスは、記録マークおよびスペースのうち記録マークの中央部分を形成し、第２パルスは、記録マークおよびスペースのうち記録マークの中央部分とは異なる部分を形成し、パルス列を生成するステップは、線速度と第２パルスのパワーレベルとに応じて第１パルスのパワーレベルを決定するステップを包含する。【選択図】図１
2007012273.tif 000002
【特許請求の範囲】
【請求項１】
（ａ）第１ピークパルスと第２ピークパルスとを含むパルス列を生成するステップと、
（ｂ）ある線速度で情報記録媒体を回転させながら前記情報記録媒体に前記パルス列を照射することによって、長記録マーク、短記録マークおよびスペースのうちの少なくとも１つを前記情報記録媒体上に形成するステップと
を包含し、
前記第１ピークパルスは、前記短記録マークを形成するためのパルスであり、前記第２ピークパルスは、前記長記録マークを形成するためのパルスであり、
前記ステップ（ａ）は、前記線速度と前記第２ピークパルスのパワーレベルとに応じて、前記第１ピークパルスのパワーレベルを決定するステップを包含する、情報記録方法。
【請求項２】
前記線速度の減少に応じて、前記第１ピークパルスのパワーレベルと前記第２ピークパルスのパワーレベルとは等しくなる、請求項１に記載の情報記録方法。
【請求項３】
前記短記録マークの長さは、記録変調符号に基づいて形成された最短の記録マークの長さである、請求項１に記載の情報記録方法。
【請求項４】
前記短記録マークの長さは、記録変調符号に基づいて形成された最短の記録マークの長さ以上であり、前記短記録マークの長さは、前記長記録マークの長さより短い、請求項１に記載の情報記録方法。
【請求項５】
前記第１ピークパルスのパワーレベルは、
Ｐｐｓ＝β（ｖ）×Ｐｐｌ
に従って決定され、
Ｐｐｓは前記第１ピークパルスのパワーレベルを示し、β（ｖ）は前記線速度の関数を示し、Ｐｐｌは前記第２ピークパルスのパワーレベルを示す、請求項１に記載の情報記録方法。
【請求項６】
前記第１ピークパルスのパワーレベルは、
Ｐｐｓ＝β（ｖ）×（Ｐｐｌ−Ｐｅ）＋Ｐｅ
に従って決定され、
Ｐｐｓは前記第１ピークパルスのパワーレベルを示し、β（ｖ）は前記線速度の関数を示し、Ｐｐｌは前記第２ピークパルスのパワーレベルを示し、Ｐｅは前記スペースを形成するためのパルスのパワーレベルを示す、請求項１に記載の情報記録方法。
【請求項７】
前記第１ピークパルスのパワーレベルは、
Ｐｐｓ＝β（ｖ）×Ｐｐｌ＋Ｐｐｌ
に従って決定され、
Ｐｐｓは前記第１ピークパルスのパワーレベルを示し、β（ｖ）は前記線速度の関数を示し、Ｐｐｌは前記第２ピークパルスのパワーレベルを示す、請求項１に記載の情報記録方法。
【請求項８】
前記線速度が最大線速度近傍および最小線速度近傍のうちの少なくとも一方である場合には、前記第２ピークパルスのパワーレベルのみに応じて、前記第１ピークパルスのパワーレベルを決定する、請求項１に記載の情報記録方法。
【請求項９】
前記線速度が中間線速度近傍である場合には、前記第２ピークパルスのパワーレベルのみに応じて、前記第１ピークパルスのパワーレベルを決定する、請求項１に記載の情報記録方法。
【請求項１０】
情報を記録するための情報記録媒体であって、
長記録マーク、短記録マークおよびスペースのうちの少なくとも１つは、ある線速度で前記情報記録媒体を回転させながら前記情報記録媒体にパルス列を照射することによって前記情報記録媒体上に形成され、
前記パルス列は、第１ピークパルスと第２ピークパルスとを含み、
前記第１ピークパルスは、前記短記録マークを形成するためのパルスであり、前記第２ピークパルスは、前記長記録マークを形成するためのパルスであり、
前記第１ピークパルスのパワーレベルは、前記線速度と前記第２ピークパルスのパワーレベルとに応じて決定され、
前記情報記録媒体は、前記第１ピークパルスのパワーレベルが記録された領域を有している、情報記録媒体。
【請求項１１】
前記領域には、β（ｖ）が記録されており、
β（ｖ）は、前記線速度と前記第１ピークパルスのパワーレベルと前記第２ピークパルスのパワーレベルとの関係を示す、請求項１０に記載の情報記録媒体。
【請求項１２】
第１ピークパルスと第２ピークパルスとを含むパルス列を生成するパルス列生成手段と、
ある線速度で情報記録媒体を回転させながら前記情報記録媒体に前記パルス列を照射することによって、長記録マーク、短記録マークおよびスペースのうちの少なくとも１つを前記情報記録媒体上に形成する形成手段と
を備え、
前記第１ピークパルスは、前記短記録マークを形成するためのパルスであり、前記第２ピークパルスは、前記長記録マークを形成するためのパルスであり、
前記パルス列生成手段は、前記線速度と前記第２ピークパルスのパワーレベルとに応じて、前記第１ピークパルスのパワーレベルを決定するパワーレベル決定手段を備えた、情報記録装置。
【発明の詳細な説明】
【技術分野】
【０００１】
本発明は、ある線速度で情報記録媒体を回転させながら情報記録媒体にパルス列を照射
することによって、記録マークおよびスペースの少なくとも１つを情報記録媒体上に形成する情報記録方法、情報記録装置および所定の情報が記録された情報記録媒体に関する。
【０００２】
本発明は、例えば、線速度の変化に応じて記録クロックを変化させることによって、記録線密度をほぼ一定にして情報を情報記録媒体にＣＡＶ記録する場合に利用される。
【背景技術】
【０００３】
情報記録媒体（例えば、光ディスク）に情報をＣＡＶ記録する場合には、記録マークを形成するための記録光パルス列が有する記録パワーレベルを記録線速度に応じて最適化することが重要である。記録光パルス列は、２種類以上のパルスを含み、２種類以上のパルスの各々は、ある記録パワーレベルを有する。
【０００４】
特許文献１は、情報をＣＡＶ記録するための従来技術を開示する。この技術は、記録線速度に応じた最適な記録パワーレベルを決定するために予め特定の回転数で情報を試し記録する。そして、試し記録の結果に基づいて、２種類以上のパルスの各々の記録パワーレベルが記録線速度のみを変数とした連続関数で定義される。
【０００５】
特許文献１では、最適記録パワーレベルは記録線速度の平方根に比例するように定義され、記録パルス先端部分のエキストラパルスのパワーレベルは記録線速度に反比例するように定義されている。
【特許文献１】特開平２００１−３４４７５４号公報
【発明の開示】
【発明が解決しようとする課題】
【０００６】
しかし、高密度でかつ高速で情報をＣＡＶ記録する場合（例えば、ＤＶＤ−ＲＡＭに情報を記録する場合）には、２種類以上のパルスの各々の記録パワーレベルを記録線速度のみを変数とした連続関数で定義しても、マーク幅が均一な記録マークを形成することができない。その結果、高密度でかつ高速で情報をＣＡＶ記録する場合（例えば、ＤＶＤ−ＲＡＭに情報を記録する場合）には、情報を示す記録再生信号の品質が低下する。
【０００７】
本発明は上記問題点に鑑みてなされたものであり、記録線速度のみに依存することなく、記録線速度と所定のパルスのパワーレベルとに依存して所定のパルスとは異なるパルスのパワーレベルを決定することによって、適正化された形状や適正化されたマーク幅を有する記録マークを形成する情報記録方法、情報記録装置および決定されたパワーレベルが記録された領域を有する情報記録媒体を提供することを目的とする。
【課題を解決するための手段】
【０００８】
本発明の情報記録方法は（ａ）第１パルスと第２パルスとを含むパルス列を生成するステップと、（ｂ）ある線速度で情報記録媒体を回転させながら前記情報記録媒体に前記パルス列を照射することによって、記録マークおよびスペースのうちの少なくとも１つを前記情報記録媒体上に形成するステップとを包含し、前記第１パルスは、前記記録マークおよび前記スペースのうち、前記記録マークの中央部分を形成するためのパルスであり、前記第２パルスは、前記記録マークおよび前記スペースのうち、前記記録マークの中央部分とは異なる部分を形成するためのパルスであり、前記ステップ（ａ）は、前記線速度と前記第２パルスのパワーレベルとに応じて、前記第１パルスのパワーレベルを決定するステップを包含し、これにより、上記目的が達成される。
【０００９】
前記第２パルスは、前記記録マークの前端部分と前記記録マークの後端部分とのうちの少なくとも一方を形成するための第３パルスを含み、前記線速度の増加に応じて、前記第１パルスのパワーレベルと前記第３パルスのパワーレベルとは等しくてよい。
【００１０】
前記第２パルスは、前記記録マークの前端部分と前記記録マークの後端部分とのうちの一方を形成するための第３パルスを含み、前記第３パルスのパワーレベルは前記第１パルスのパワーレベルより大きくてよい。
【００１１】
前記第２パルスは、前記記録マークの前端部分と前記記録マークの後端部分とを形成するための第３パルスを含み、前記第３パルスのパワーレベルは前記第１パルスのパワーレベルより大きくてよい。
【００１２】
前記第１パルスのパワーレベルは、Ｐｍ＝α（ｖ）×（Ｐｐ−Ｐｅ）＋Ｐｅに従って決定され、前記第２パルスは、前記記録マークの前端部分と前記記録マークの後端部分とのうちの少なくとも一方を形成するための第３パルスと、前記スペースを形成するための第４パルスとを含み、Ｐｍは前記第１パルスのパワーレベルを示し、α（ｖ）は前記線速度の関数を示し、Ｐｐは前記第３パルスのパワーレベルを示し、Ｐｅは前記第４パルスのパワーレベルを示し、前記第３パルスのパワーレベルは前記第１パルスのパワーレベルより大きくてよい。
【００１３】
前記第１パルスのパワーレベルは、Ｐｍ＝α（ｖ）×Ｐｅに従って決定され、前記第２パルスは、前記スペースを形成するための第４パルスを含んでよい。ここで、Ｐｍは前記第１パルスのパワーレベルを示し、α（ｖ）は前記線速度の関数を示し、Ｐｅは前記第４パルスのパワーレベルを示す。
【００１４】
前記第１パルスのパワーレベルは、Ｐｍ＝α（ｖ）×Ｐｐに従って決定され、前記第２パルスは、前記記録マークの前端部分と前記記録マークの後端部分とのうちの少なくとも一方を形成するための第３パルスを含み、前記第３パルスのパワーレベルは前記第１パルスのパワーレベルより大きくてよい。ここで、Ｐｍは前記第１パルスのパワーレベルを示し、α（ｖ）は前記線速度の関数を示し、Ｐｐは前記第３パルスのパワーレベルを示す。
【００１５】
前記線速度が最大線速度近傍および最小線速度近傍のうちの少なくとも一方である場合には、前記第２パルスのパワーレベルのみに応じて、前記第１パルスのパワーレベルを決定してよい。
【００１６】
前記線速度が中間線速度近傍である場合には、前記第２パルスのパワーレベルのみに応じて、前記第１パルスのパワーレベルを決定してよい。
【００１７】
本発明の情報記録媒体は、情報を記録するための情報記録媒体であって、記録マークおよびスペースのうちの少なくとも１つは、ある線速度で前記情報記録媒体を回転させながら前記情報記録媒体にパルス列を照射することによって前記情報記録媒体上に形成され、前記パルス列は、第１パルスと第２パルスとを含み、前記第１パルスは、前記記録マークおよび前記スペースのうち、前記記録マークの中央部分を形成するためのパルスであり、前記第２パルスは、前記記録マークおよび前記スペースのうち、前記記録マークの中央部分とは異なる部分を形成するためのパルスであり、前記第１パルスのパワーレベルは、前記線速度と前記第２パルスのパワーレベルとに応じて決定され、前記情報記録媒体は、前記第１パルスのパワーレベルが記録された領域を有しており、これにより、上記目的が達成される。
【００１８】
前記領域には、α（ｖ）が記録されていてもよい。なお、α（ｖ）は、前記線速度と前記第２パルスのパワーレベルとの関係を示す。
【００１９】
本発明の情報記録装置は、第１パルスと第２パルスとを含むパルス列を生成するパルス
列生成手段と、ある線速度で情報記録媒体を回転させながら前記情報記録媒体に前記パルス列を照射することによって、記録マークおよびスペースのうちの少なくとも１つを前記情報記録媒体上に形成する形成手段とを備え、前記第１パルスは、前記記録マークおよび前記スペースのうち、前記記録マークの中央部分を形成するためのパルスであり、前記第２パルスは、前記記録マークおよび前記スペースのうち、前記記録マークの中央部分とは異なる部分を形成するためのパルスであり、前記パルス列生成手段は、前記線速度と前記第２パルスのパワーレベルとに応じて、前記第１パルスのパワーレベルを決定するパワーレベル決定手段を備え、これにより、上記目的が達成される。
【００２０】
本発明の情報記録方法は、（ａ）第１ピークパルスと第２ピークパルスとを含むパルス列を生成するステップと、（ｂ）ある線速度で情報記録媒体を回転させながら前記情報記録媒体に前記パルス列を照射することによって、長記録マーク、短記録マークおよびスペースのうちの少なくとも１つを前記情報記録媒体上に形成するステップとを包含し、前記第１ピークパルスは、前記短記録マークを形成するためのパルスであり、前記第２ピークパルスは、前記長記録マークを形成するためのパルスであり、前記ステップ（ａ）は、前記線速度と前記第２ピークパルスのパワーレベルとに応じて、前記第１ピークパルスのパワーレベルを決定するステップを包含し、これにより、上記目的が達成される。
【００２１】
前記線速度の減少に応じて、前記第１ピークパルスのパワーレベルと前記第２ピークパルスのパワーレベルとは等しくてよい。
【００２２】
前記短記録マークの長さは、記録変調符号に基づいて形成された最短の記録マークの長さでよい。
【００２３】
前記短記録マークの長さは、記録変調符号に基づいて形成された最短の記録マークの長さ以上であり、前記短記録マークの長さは、前記長記録マークの長さより短くてよい。
【００２４】
前記第１ピークパルスのパワーレベルは、Ｐｐｓ＝β（ｖ）×Ｐｐｌに従って決定されてよい。ここで、Ｐｐｓは前記第１ピークパルスのパワーレベルを示し、β（ｖ）は前記線速度の関数を示し、Ｐｐｌは前記第２ピークパルスのパワーレベルを示す。
【００２５】
前記第１ピークパルスのパワーレベルは、Ｐｐｓ＝β（ｖ）×（Ｐｐｌ−Ｐｅ）＋Ｐｅに従って決定されてよい。ここで、Ｐｐｓは前記第１ピークパルスのパワーレベルを示し、β（ｖ）は前記線速度の関数を示し、Ｐｐｌは前記第２ピークパルスのパワーレベルを示し、Ｐｅは前記スペースを形成するためのパルスのパワーレベルを示す。
【００２６】
前記第１ピークパルスのパワーレベルは、Ｐｐｓ＝β（ｖ）×Ｐｐｌ＋Ｐｐｌに従って決定されてよい。ここで、Ｐｐｓは前記第１ピークパルスのパワーレベルを示し、β（ｖ）は前記線速度の関数を示し、Ｐｐｌは前記第２ピークパルスのパワーレベルを示す。
【００２７】
前記線速度が最大線速度近傍および最小線速度近傍のうちの少なくとも一方である場合には、前記第２ピークパルスのパワーレベルのみに応じて、前記第１ピークパルスのパワーレベルを決定してよい。
【００２８】
前記線速度が中間線速度近傍である場合には、前記第２ピークパルスのパワーレベルのみに応じて、前記第１ピークパルスのパワーレベルを決定してよい。
【００２９】
本発明の情報記録媒体は、情報を記録するための情報記録媒体であって、長記録マーク、短記録マークおよびスペースのうちの少なくとも１つは、ある線速度で前記情報記録媒体を回転させながら前記情報記録媒体にパルス列を照射することによって前記情報記録媒
体上に形成され、前記パルス列は、第１ピークパルスと第２ピークパルスとを含み、前記第１ピークパルスは、前記短記録マークを形成するためのパルスであり、前記第２ピークパルスは、前記長記録マークを形成するためのパルスであり、前記第１ピークパルスのパワーレベルは、前記線速度と前記第２ピークパルスのパワーレベルとに応じて決定され、前記情報記録媒体は、前記第１ピークパルスのパワーレベルが記録された領域を有しており、これにより、上記目的が達成される。
【００３０】
前記領域には、β（ｖ）が記録されていてもよい。なお、β（ｖ）は、前記線速度と前記第１ピークパルスのパワーレベルと前記第２ピークパルスのパワーレベルとの関係を示す。
【００３１】
本発明の情報記録装置は、第１ピークパルスと第２ピークパルスとを含むパルス列を生成するパルス列生成手段と、ある線速度で情報記録媒体を回転させながら前記情報記録媒体に前記パルス列を照射することによって、長記録マーク、短記録マークおよびスペースのうちの少なくとも１つを前記情報記録媒体上に形成する形成手段とを備え、前記第１ピークパルスは、前記短記録マークを形成するためのパルスであり、前記第２ピークパルスは、前記長記録マークを形成するためのパルスであり、前記パルス列生成手段は、前記線速度と前記第２ピークパルスのパワーレベルとに応じて、前記第１ピークパルスのパワーレベルを決定するパワーレベル決定手段を備え、これにより、上記目的が達成される。
【発明の効果】
【００３２】
本発明の情報記録方法、情報記録装置および情報記録媒体によれば、線速度のみに依存することなく、線速度と第２パルスのパワーレベルとに依存して第１パルスのパワーレベルを決定する。なお、第１パルスは、記録マークおよびスペースのうち、記録マークの中央部分を形成するためのパルスであり、第２パルスは、記録マークおよびスペースのうち、記録マークの中央部分とは異なる部分を形成するためのパルスである。
【００３３】
その結果、記録マークの中央部分のマーク幅が線速度と第２パルスのパワーレベルとに依存して形成される場合でも、記録マークの中央部分のマーク幅を適正に形成することができる。
【００３４】
本発明の情報記録方法、情報記録装置および情報記録媒体によれば、線速度のみに依存することなく、長記録マークを形成するための第２ピークパルスのパワーレベルと線速度とに依存して短記録マークを形成するための第１ピークパルスのパワーレベルを決定する。
【００３５】
その結果、短記録マークの幅が線速度と第２ピークパルスのパワーレベルとに依存して形成される場合でも、短記録マークの幅を適正に形成することができる。
【００３６】
本発明の情報記録方法、情報記録装置および情報記録媒体によれば、高密度でかつ高速で情報をＣＡＶ記録する場合（例えば、ＤＶＤ−ＲＡＭに記録する場合）でも、マーク幅が均一な記録マークを形成することができる。さらに、オーバライト特性が良好な記録再生信号を得ることができる。その結果、情報記録媒体の全面に渡って信頼性の高い記録再生性能を確保できる。
【発明を実施するための最良の形態】
【００３７】
以下、図面を参照して本発明の実施の形態を説明する。
【００３８】
（１．情報記録装置１００の構成）
図１は、本発明の実施の形態の情報記録装置１００の構成を示す。
【００３９】
情報記録装置１００は、データを記録再生するための情報記録媒体１０１（以下、光ディスク１０１と称す。）を装着可能に構成されている。
【００４０】
情報記録装置１００は、光ヘッド１０６と、スピンドルモータ１０７と、システム制御回路１０２と、記録系回路部１２０と、再生系回路部１３０とを含む。
【００４１】
システム制御回路１０２は、情報記録装置１００に含まれる各構成要素の動作を制御する。光ヘッド１０６は、半導体レーザの光を集光し、集光した光を光ディスク１０１に照射する。スピンドルモータ１０７は、光ディスク１０１が回転するように光ディスク１０１を駆動する。
【００４２】
光ヘッド１０６と、スピンドルモータ１０７と、システム制御回路１０２と、記録系回路部１２０とは、ある線速度で光ディスク１０１を回転させながら光ディスク１０１にパルス列を照射することによって、記録マークおよびスペースのうちの少なくとも１つを光ディスク１０１上に形成する。
【００４３】
記録系回路部１２０は、変調回路１０３と、記録パルス列生成回路１０４と、レーザ駆動回路１０５と、線速度設定回路１０８と、記録クロック設定回路１１１と、レーザパワー制御回路１１５とを含む。
【００４４】
変調回路１０３は、光ディスク１０１に記録するデータを２値化された記録変調符号に変換する。
【００４５】
記録パルス列生成回路１０４は、記録変調符号に基づいて記録パルス列が生成されるように、レーザを駆動する。例えば、記録パルス列生成回路１０４は、記録パルス列の先頭に配置された始端パルスの適正位置および記録パルス列の後尾に配置された終端パルスの適正位置を補正するように、レーザを駆動する。
【００４６】
線速度設定回路１０８は、スピンドルモータ１０７の回転数を制御することによって、光ディスク１０１の回転線速度を設定する。記録クロック設定回路１１１は、光ディスク１０１の記録線速度に応じて記録パルス列生成回路１０４のクロックを設定する。レーザパワー制御回路１１５は、記録パルス列の記録パワーレベルを制御する。レーザ駆動回路１０５は、記録パルス列生成回路１０４によって生成された記録パルス列とレーザパワー制御回路１１５によって制御された記録パワーレベルとに基づいて、光ヘッド１０６に搭載された半導体レーザの電流を駆動する。
【００４７】
再生系回路部１３０は、再生信号処理回路１０９と、復調回路１１０と、検出回路部１４０とを含む。
【００４８】
再生信号処理回路１０９は、光ヘッド１０６で再生された再生信号を処理（再生信号の２値化および再生信号のクロック再生）する。復調回路１１０は、２値化された再生信号を復号し、再生データを生成する。
【００４９】
検出回路部１４０は、記録パラメータである記録パルス列と記録パワーとを最適化する。検出回路部１４０は、ジッタ検出回路１１３と、ＢＥＲ検出回路１１４とを含む。ジッタ検出回路１１３は、再生信号のジッタ値を検出する。ＢＥＲ検出回路１１４は、再生信号のビットエラーレートを検出する。
【００５０】
なお、１チップ化されたＬＳＩが、記録系回路部１２０および再生系回路部１３０のう
ちの少なくとも一方を含んでもよい。１チップ化されたＬＳＩが、記録系回路部１２０と再生系回路部１３０とシステム制御回路１０２とを含んでもよい。１チップ化されたＬＳＩに記録系回路部１２０および再生系回路部１３０のうちの少なくとも一方を含めることによって、または１チップ化されたＬＳＩに記録系回路部１２０と再生系回路部１３０とシステム制御回路１０２とを含めることによって、情報記録装置１００の製造工程を容易にすることができる。
【００５１】
（２．記録マークの中央部分のマーク幅の適正化）
図２Ａ〜図２Ｃは、記録マークの中央部分のマーク幅の適正化について説明するための図である。
【００５２】
図２Ａは、記録光パルス列Ａの波形と記録光パルス列Ｂの波形とを示す。記録光パルス列Ａおよび記録光パルス列Ｂは、光ヘッド１０６（図１参照）の発光出力１１６で観測される。
【００５３】
記録光パルス列Ａは、１１Ｔ記録光パルスＡと消去光パルスＡとを含む。
【００５４】
１１Ｔ記録光パルスＡは、記録線速度が最低記録線速度ｖａである場合に、１１Ｔ長さの記録マークを形成するための記録光パルスである。Ｔは、記録クロックの周期を示す。１１Ｔ記録光パルスＡは、始端パルス１Ａと、中央パルス２Ａと、終端パルス３Ａとを含む。
【００５５】
始端パルス１Ａは、１１Ｔ記録光パルスＡの前端近傍に配置されており、ピークパワーレベルＰｐ１（ｖａ）を有する。中央パルス２Ａは、１１Ｔ記録光パルスＡの中央部分に配置されており、ミドルパワーレベルＰｍ（ｖａ）を有する。例えば、中央パルス２Ａは所定の長さを有する１パルスである。終端パルス３Ａは、１１Ｔ記録光パルスＡの後端近傍に配置されており、ピークパワーレベルＰｐ３（ｖａ）を有する。
【００５６】
消去光パルスＡは、記録線速度が最低記録線速度ｖａである場合に、スペースを形成するための光パルスである。消去光パルスＡは、１１Ｔ記録光パルスＡに隣接して配置されており、消去パワーレベルＰｅ（ｖａ）を有する。
【００５７】
Ｐｐ１（ｖａ）、Ｐｍ（ｖａ）、Ｐｐ３（ｖａ）およびＰｅ（ｖａ）は、Ｐｅ（ｖａ）＜Ｐｍ（ｖａ）＜Ｐｐ１（ｖａ）＝Ｐｐ３（ｖａ）の関係を有する。
【００５８】
記録光パルス列Ｂは、１１Ｔ記録光パルスＢと消去光パルスＢとを含む。
【００５９】
１１Ｔ記録光パルスＢは、記録線速度が最高記録線速度ｖｂである場合に、１１Ｔ長さの記録マークを形成するための記録光パルスである。１１Ｔ記録光パルスＢは、始端パルス１Ｂと、中央パルス２Ｂと、終端パルス３Ｂとを含む。
【００６０】
始端パルス１Ｂは、１１Ｔ記録光パルスＢの前端近傍に配置されており、ピークパワーレベルＰｐ１（ｖｂ）を有する。中央パルス２Ｂは、１１Ｔ記録光パルスＢの中央部分に配置されており、ミドルパワーレベルＰｍ（ｖｂ）を有する。例えば、中央パルス２Ｂは所定の長さを有する１パルスである。終端パルス３Ｂは、１１Ｔ記録光パルスＢの後端近傍に配置されており、ピークパワーＰｐ３（ｖｂ）を有する。
【００６１】
消去光パルスＢは、記録線速度が最高記録線速度ｖｂである場合に、スペースを形成するための光パルスである。消去光パルスＢは、１１Ｔ記録光パルスＢに隣接して配置されており、消去パワーレベルＰｅ（ｖｂ）を有する。
【００６２】
Ｐｐ１（ｖｂ）、Ｐｍ（ｖｂ）、Ｐｐ３（ｖｂ）およびＰｅ（ｖｂ）は、Ｐｅ（ｖｂ）＜Ｐｍ（ｖｂ）＜Ｐｐ１（ｖｂ）＝Ｐｐ３（ｖｂ）の関係を有する。
【００６３】
なお、１１Ｔ記録光パルスは、始端パルス１と、終端パルス３との双方を含むことに限定されない。１１Ｔ記録光パルスは、熱エネルギーが光ディスク１０１の記録材料に与える影響の程度に応じて、始端パルス１と、終端パルス３とのうちの少なくとも１つを含んでよい。
【００６４】
さらに、１１Ｔ記録光パルスの記録パワーレベルは２値（Ｐｐ１＝Ｐｐ３＜Ｐｍ）に限定されない。１１Ｔ記録光パルスの記録パワーレベルは２値よりも多くてよい。例えば、１１Ｔ記録光パルスの記録パワーレベルは３値（Ｐｐ１≠Ｐｐ３、かつＰｍ＜Ｐｐ１、かつＰｍ＜Ｐｐ３）でよい。
【００６５】
さらに、中央パルス２Ａおよび中央パルス２Ｂは、所定の長さを有する１パルスであることに限らない。
【００６６】
例えば、比較的低記録レートで記録マークを形成する場合には、中央パルス２Ａおよび中央パルス２Ｂは、マルチパルス列でよい。例えば、マルチパルス列は、パルス幅が０．５Ｔである複数のパルスを含む。
【００６７】
例えば、高密度でかつ高速で記録マークを光ディスク１０１に形成する場合（例えば、ＤＶＤ−ＲＡＭに形成する場合）には、中央パルス２Ａおよび中央パルス２Ｂは、所定の長さを有する１パルスでよい。マルチパルス列の積分熱エネルギーと等しいミドルパワーレベルＰｍのパルスを照射することにより、記録マーク幅を適性に制御することが可能である。例えば、光ディスク１０１が相変化記録材料からなる場合、記録レートが高くなると記録光パルスの照射時間が短くなる。したがって、ミドルパワーレベルＰｍのパルスの照射によって記録マークの形成部分が急激に冷却される。その結果、マルチパルス列で冷却しなくても非晶質のマークの形成が可能になる。
【００６８】
図２Ｂは、１１Ｔ記録マークＡとスペースＡならびに１１Ｔ記録マークＢとスペースＢを示す。
【００６９】
１１Ｔ記録マークＡは、記録線速度が最低記録線速度ｖａである場合に１１Ｔ記録光パルスＡを光ディスク１０１の情報層（不図示）に照射することによって、さらに、スペースＡは、記録線速度が最低記録線速度ｖａである場合に消去光パルスＡを情報層に照射することによって、光ディスク１０１に形成される。１１Ｔ記録マークＢは、記録線速度が最高記録線速度ｖｂである場合に１１Ｔ記録光パルスＢを情報層に照射することによって、さらに、スペースＢは、記録線速度が最高記録線速度ｖｂである場合に消去光パルスＢを情報層に照射することによって、光ディスク１０１に形成される。
【００７０】
中央パルス２Ａは、記録線速度が最低記録線速度ｖａである場合に１１Ｔ記録マークＡおよびスペースＡのうち、１１Ｔ記録マークＡの中央部分を形成するためのパルスであり、中央パルス２Ｂは、記録線速度が最高記録線速度ｖｂである場合に１１Ｔ記録マークＢおよびスペースＢのうち、１１Ｔ記録マークＢの中央部分を形成するためのパルスである。
【００７１】
始端パルス１Ａ、終端パルス３Ａおよび消去光パルスＡは、記録線速度が最低記録線速度ｖａである場合に１１Ｔ記録マークＡおよびスペースＡのうち、１１Ｔ記録マークＡの中央部分とは異なる部分を形成するためのパルスであり、始端パルス１Ｂ、終端パルス３
Ｂおよび消去光パルスＢは、記録線速度が最高記録線速度ｖｂである場合に１１Ｔ記録マークＢおよびスペースＢのうち、１１Ｔ記録マークＢの中央部分とは異なる部分を形成するためのパルスである。
【００７２】
図２Ｃは、再生信号の波形ＰＢａと再生信号の波形ＰＢｂとを示す。波形ＰＢａを有する再生信号と波形ＰＢｂを有する再生信号とは、光ヘッド１０６（図５Ａおよび図５Ｂ参照）の再生出力５１７から出力される。
【００７３】
再生信号の波形ＰＢａは、記録線速度が最低記録線速度ｖａである場合に１１Ｔ記録マークＡによって示される情報を再生することによって検出される。再生信号の波形ＰＢｂは、記録線速度が最高記録線速度ｖｂである場合に１１Ｔ記録マークＢによって示される情報を再生することによって検出される。
【００７４】
以下、図２Ａ〜図２Ｃを参照して、レーザパワー制御回路１１５の動作を説明する。
【００７５】
ピークパワーレベルＰｐ（ｖａ）とピークパワーレベルＰｐ（ｖｂ）とが決定されている場合には、ピークパワーレベルＰｐ（ｖ）は、記録線速度ｖのみを変数とした連続関数Ｐｐ＝ｆｐ（ｖ）によって求めることができる。ピークパワーレベルＰｐ（ｖ）は、記録マークの非晶質化に必要な熱エネルギーの最高温度を決定するため、熱エネルギーの移動速度である記録線速度に対する依存性が高いからである。
【００７６】
消去パワーレベルＰｅ（ｖａ）と消去パワーレベルＰｅ（ｖｂ）とが決定されている場合には、消去パワーレベルＰｅ（ｖ）は、記録線速度ｖのみを変数とした連続関数Ｐｅ＝ｆｅ（ｖ）によって求めることができる。消去パワーレベルＰｅ（ｖ）は、スペースの結晶化に必要な熱エネルギーの最適温度を決定するため、熱エネルギーの移動速度である記録線速度に対する依存性が高いからである。
【００７７】
しかし、ミドルパワーレベルＰｍ（ｖ）は、記録線速度ｖのみを変数とした連続関数Ｐｍ’＝ｆｍ（ｖ）によって求めることができない。Ｐｍ’（ｖｂ）の場合には、記録マークの中央部分の幅ＭＬｂ’は、最適な記録マークの中央部分の幅ＭＬｂと比べて細い（図２Ｂ参照）。Ｐｍ’（ｖｂ）は、最適であるミドルパワーレベルＰｍ（ｖｂ）より低いからである（図２Ａ参照）。
【００７８】
ミドルパワーレベルＰｍは、記録マークのマーク幅を均一な幅にする熱エネルギーを決定する。したがって、ミドルパワーレベルＰｍは、ピークパワーレベルＰｐ（記録マークの非晶質化に必要な熱エネルギーの最高温度を決定する）と、消去パワーレベルＰｅ（スペースの結晶化に必要な熱エネルギーの最適温度を決定する）とに依存する。
【００７９】
第１パワー係数α（ｖ）は、ミドルパワーレベルＰｍとピークパワーレベルＰｐと消去パワーレベルＰｅとの依存関係を規定する係数（パワー比率）を定義する。第１パワー係数α（ｖ）は、記録線速度ｖにも依存する。一般的に記録線速度ｖが大きくなるに従って、第１パワー係数α（ｖ）も大きくなる。
【００８０】
記録線速度ｖの増加に応じて、ミドルパワーレベルＰｍとピークパワーレベルＰｐとは等しくなる。例えば、記録マークの中央部分を均一に形成するために最適なミドルパワーレベルＰｍは、記録線速度ｖが大きい場合には、記録線速度ｖが小さい場合に比べ、ピークパワーレベルＰｐに近くなる。
【００８１】
ミドルパワーレベルＰｍ（ｖ）は、記録線速度ｖ、ピークパワーレベルＰｐ（ｖ）および消去パワーレベルＰｅ（ｖ）に依存するため、式（１）の関係を有する。
【００８２】
Ｐｍ（ｖ）＝α（ｖ）×（Ｐｐ（ｖ）−Ｐｅ（ｖ））＋Ｐｅ（ｖ）・・・（１）
レーザパワー制御回路１１５は、式（１）に従ってミドルパワーレベルＰｍを制御する。この場合には、記録線速度ｖａ時の１１Ｔ長の記録マークのマーク幅ＭＬａと、記録線速度ｖｂ時のマーク幅ＭＬｂとが均一になる。第１パワー係数α（ｖ）は記録線速度ｖの連続関数α（ｖ）であるため、記録線速度ｖ（ｖａ≦ｖ≦ｖｂ）である場合に、均一な記録マークを形成することができる。
【００８３】
なお、ミドルパワーレベルＰｍ（ｖ）、記録線速度ｖ、ピークパワーレベルＰｐ（ｖ）および消去パワーレベルＰｅ（ｖ）の関係は、式（１）の関係に限定されない。ミドルパワーレベルＰｍ（ｖ）、記録線速度ｖ、ピークパワーレベルＰｐ（ｖ）および消去パワーレベルＰｅ（ｖ）の関係は、式（２）または式（３）の関係を有していてもよい。
【００８４】
Ｐｍ（ｖ）＝α（ｖ）×Ｐｅ（ｖ）・・・（２）
Ｐｍ（ｖ）＝α（ｖ）×Ｐｐ（ｖ）・・・（３）
ミドルパワーレベルＰｍ（ｖ）の消去パワーレベルＰｅ（ｖ）に対する依存性が強い場合は、レーザパワー制御回路１１５は、式（２）に従ってミドルパワーレベルＰｍ（ｖ）を制御する。
【００８５】
ミドルパワーレベルＰｍ（ｖ）のピークパワーレベルＰｐ（ｖ）に対する依存性が強い場合は、レーザパワー制御回路１１５は、式（３）に従ってミドルパワーレベルＰｍ（ｖ）を制御する。
【００８６】
以下、図２Ａ〜図２Ｃを参照して、第１パワー係数α（ｖ）の最適化について説明する。
【００８７】
α（ｖａ）が最適化されている場合には、再生信号の波形ＰＢａは略平坦であり、均一なマーク幅ＭＬａを有する１１Ｔ記録マークＡが形成される。
【００８８】
α（ｖｂ）が最適化されている場合には、再生信号の波形ＰＢｂは平坦であり、均一なマーク幅ＭＬｂを有する１１Ｔ記録マークＢが形成され、α（ｖｂ）が最適化されていない場合には、再生信号の波形ＰＢｂ’は平坦でなく、不均一なマーク幅ＭＬｂ’を有する１１Ｔ記録マークＢが形成される。
【００８９】
このように、レーザパワー制御回路１１５は、記録線速度ｖ（ｖａ≦ｖ≦ｖｂ）で平坦でない再生信号の波形を観測し、再生波形がほぼ平坦になるようにミドルパワーレベルＰｍ（ｖ）を制御する。従って、第１パワー係数α（ｖ）を最適化することができ、記録線速度が変わっても比較的長い記録マークのマーク幅を均一にすることが可能になる。
【００９０】
以上、図１および図２Ａ〜図２Ｃを参照して本発明の実施の形態の一例を説明した。
【００９１】
例えば、図１および図２Ａ〜図２Ｃに示される実施の形態では、システム制御回路１０２と、変調回路１０３と、記録パルス列生成回路１０４と、レーザパワー制御回路１１５とが「第１パルスと第２パルスとを含むパルス列を生成するパルス列生成手段」に対応し、光ヘッド１０６と、スピンドルモータ１０７と、システム制御回路１０２と、記録系回路部１２０とが「ある線速度で情報記録媒体を回転させながら情報記録媒体にパルス列を照射することによって、記録マークおよびスペースのうちの少なくとも１つを情報記録媒体上に形成する形成手段」に対応し、レーザパワー制御回路１１５が「線速度と第２パルスのパワーレベルとに応じて、第１パルスのパワーレベルを決定するパワーレベル決定手段」に対応する。さらに、中央パルス２Ａまたは中央パルス２Ｂが「記録マークおよびス
ペースのうち、記録マークの中央部分を形成するための第１パルス」に対応し、始端パルス１Ａと終端パルス３Ａと消去光パルスＡまたは始端パルス１Ｂと終端パルス３Ｂと消去光パルスＢが「記録マークおよびスペースのうち、記録マークの中央部分とは異なる部分を形成するための第２パルス」に対応する。
【００９２】
しかし、本発明の情報記録装置１００が図１および図２Ａ〜図２Ｃに示される実施の形態に限定されるわけではない。上述した「第１パルスと第２パルスとを含むパルス列を生成するパルス列生成手段」、「ある線速度で情報記録媒体を回転させながら情報記録媒体にパルス列を照射することによって、記録マークおよびスペースのうちの少なくとも１つを情報記録媒体上に形成する形成手段」および「線速度と第２パルスのパワーレベルとに応じて、第１パルスのパワーレベルを決定するパワーレベル決定手段」の機能を有する限りは、任意の構成を有しえる。さらに、「記録マークおよびスペースのうち、記録マークの中央部分を形成するための第１パルス」および「記録マークおよびスペースのうち、記録マークの中央部分とは異なる部分を形成するための第２パルス」である限りは、任意のパルスである。
【００９３】
図３Ａ〜図３Ｄは、第１パワー係数α（ｖ）と記録線速度ｖとの関係を示す。第１パワー係数α（ｖ）の値を記録線速度ｖで最適化した場合には、光ディスク１０１の材料や記録線速度の絶対値の違いにより、第１パワー係数α（ｖ）と記録線速度ｖとの関係にはいくつかのパターンがある。
【００９４】
図３Ａは、第１パワー係数α（ｖ）と記録線速度ｖとの関係（パターン１）を示す。第１パワー係数α（ｖ）は、記録線速度ｖａから記録線速度ｖｂまでの間では、記録線速度ｖの増加にともなってほぼ直線的に増加する。なお、第１パワー係数α（ｖ）は、記録線速度ｖａから記録線速度ｖｂまでの間では、記録線速度ｖの増加にともなってほぼべき乗に増加してもよい（破線で描かれたαｍ（ｖ）参照）。
【００９５】
図３Ｂは、第１パワー係数α（ｖ）と記録線速度ｖとの関係（パターン２）を示す。
【００９６】
第１パワー係数α（ｖ）は、記録線速度ｖ１から記録線速度ｖｂまでの間（記録線速度ｖの高速側）では、記録線速度ｖの変化に依存することなく、ほぼ一定である。記録線速度ｖ１から記録線速度ｖｂまでの間では、ピークパワーレベルＰｐと消去パワーレベルＰｅとが記録線速度ｖの変化にともなって変化しても、第１パワー係数α（ｖ）はほぼ一定である。したがって、ミドルパワーレベルＰｍは記録線速度ｖの変化に伴って変化するが、ミドルパワーレベルＰｍとピークパワーレベルＰｐとのパワー比率およびミドルパワーレベルＰｍと消去パワーレベルＰｅとのパワー比率はほぼ一定である。
【００９７】
第１パワー係数α（ｖ）は、記録線速度ｖａから記録線速度ｖ１までの間では、記録線速度ｖの増加にともなってほぼ直線的に増加する。
【００９８】
図３Ｃは、第１パワー係数α（ｖ）と記録線速度ｖとの関係（パターン３）を示す。
【００９９】
第１パワー係数α（ｖ）は、記録線速度ｖａから記録線速度ｖ２までの間（記録線速度ｖの低速側）では、記録線速度ｖの変化に依存することなく、ほぼ一定である。記録線速度ｖａから記録線速度ｖ２までの間では、ピークパワーレベルＰｐと消去パワーレベルＰｅとが記録線速度ｖの変化にともなって変化しても、第１パワー係数α（ｖ）はほぼ一定である。したがって、ミドルパワーレベルＰｍは記録線速度ｖの変化に伴って変化するが、ミドルパワーレベルＰｍとピークパワーレベルＰｐとのパワー比率およびミドルパワーレベルＰｍと消去パワーレベルＰｅとのパワー比率はほぼ一定である。
【０１００】
第１パワー係数α（ｖ）は、記録線速度ｖ２から記録線速度ｖｂまでの間では、記録線速度ｖの増加にともなってほぼ直線的に増加する。
【０１０１】
図３Ｄは、第１パワー係数α（ｖ）と記録線速度ｖとの関係（パターン４）を示す。
【０１０２】
第１パワー係数α（ｖ）は、記録線速度ｖ３から記録線速度ｖ４までの間（記録線速度ｖの中間速部分）では、記録線速度ｖの変化に依存することなく、ほぼ一定である。記録線速度ｖ３から記録線速度ｖ４までの間では、ピークパワーレベルＰｐと消去パワーレベルＰｅとが記録線速度ｖの変化にともなって変化しても、第１パワー係数α（ｖ）はほぼ一定である。したがって、ミドルパワーレベルＰｍは記録線速度ｖの変化に伴って変化するが、ミドルパワーレベルＰｍとピークパワーレベルＰｐとのパワー比率およびミドルパワーレベルＰｍと消去パワーレベルＰｅとのパワー比率はほぼ一定である。
【０１０３】
第１パワー係数α（ｖ）は、記録線速度ｖａから記録線速度ｖ３、および記録線速度ｖ４から記録線速度ｖｂまでの間では、記録線速度ｖの増加にともなってほぼ直線的に増加する。
【０１０４】
なお、図２Ａ〜図２Ｃを参照して説明したように、１１Ｔ記録光パルスの記録パワーレベルは２値（Ｐｍ＜Ｐｐ１＝Ｐｐ３）に限定されない。１１Ｔ記録光パルスの記録パワーレベルは１値でよい。例えば、図３Ｂを参照して説明されたように、第１パワー係数α（ｖ）と記録線速度ｖとの関係がパターン２である場合には、記録線速度ｖ１から記録線速度ｖｂまでの間では、Ｐｐ１＝Ｐｐ３＝Ｐｍでよい。例えば、図３Ｃを参照して説明されたように、第１パワー係数α（ｖ）と記録線速度ｖとの関係がパターン３である場合には、記録線速度ｖａから記録線速度ｖ２までの間では、Ｐｐ１＝Ｐｐ３＝Ｐｍでよい。
【０１０５】
なお、光ディスク１０１は、ミドルパワーレベルＰｍ（ｖ）が予め記録された領域を有していてもよい。ミドルパワーレベルＰｍは、記録線速度ｖと第２パルスのパワーレベル（ピークパワーレベルＰｐと消去パワーレベルＰｅとのうちの少なくとも一方）とに応じて決定される。
【０１０６】
第１パワー係数α（ｖ）は、光ディスク１０１の記録材料と記録線速度とによってある程度決定することができるため、光ディスク１０１の製造者が予め推奨された第１パワー係数α（ｖ）を決定する。例えば、光ディスク１０１の製造者は、第１パワー係数α（ｖ）の値、又は第１パワー係数α（ｖ）の演算式を光ディスク１０１のコントロールトラックに予め書き込んでおく。その結果、第１パワー係数α（ｖ）の最適化処理時間を短縮することができる。なお、第１パワー係数α（ｖ）は、記録線速度ｖと第２パルスのパワーレベルとの関係を示す。
【０１０７】
図４は、記録マークの中央部分のマーク幅が適正に形成されるように記録マークを光ディスクに形成する形成処理手順を示す。
【０１０８】
形成処理手順は、パワーレベル決定ステップ（ステップ５０１〜ステップ５０５）と、記録パルス列生成ステップ（ステップ５０６）と、記録マーク形成ステップ（ステップ５０７、ステップ５０８）とを含む。
【０１０９】
パワーレベル決定ステップは、例えば、システム制御回路１０２と変調回路１０３とによって実行される。
【０１１０】
記録パルス列生成ステップは、例えば、システム制御回路１０２と、変調回路１０３と、記録パルス列生成回路１０４と、レーザパワー制御回路１１５とによって実行される。
【０１１１】
記録マーク形成ステップは、例えば、光ヘッド１０６と、スピンドルモータ１０７と、システム制御回路１０２と、記録系回路部１２０とによって実行される。
【０１１２】
以下、図１および図４を参照して形成処理手順をステップごとに説明する。
【０１１３】
ステップ５０１：スピンドルモータ１０７の回転速度を光ディスク１０１が有する記録領域における線速度（ｖ）に設定する。
【０１１４】
ステップ５０２：光ヘッド１０６を記録領域にシークし、記録マーク形成位置を記録領域に設定する。
【０１１５】
ステップ５０３：現在位置での記録領域の線速度（ｖ）に基づいて消去パワーレベルＰｅ（ｖ）を決定する。
【０１１６】
ステップ５０４：現在位置での記録領域の線速度（ｖ）に基づいてピークパワーレベルＰｐ（ｖ）を決定する。
【０１１７】
ステップ５０５：消去パワーレベルＰｅ（ｖ）とピークパワーレベルＰｐ（ｖ）とのうちの少なくとも一方と線速度（ｖ）とに応じて、ミドルパワーレベルＰｍ（ｖ）を決定する。
【０１１８】
ステップ５０６：記録パルス列生成回路１０４は、決定された消去パワーレベルＰｅ（ｖ）、ピークパワーレベルＰｐ（ｖ）およびミドルパワーレベルＰｍ（ｖ）に基づいて、記録パルス列を生成する。
【０１１９】
ステップ５０７：生成された記録パルス列をレーザ駆動回路１０５に入力し、光ヘッド１０６に搭載された半導体レーザ装置を駆動する。半導体レーザ装置からは、生成されたパルス列に対応する光が照射される。
【０１２０】
ステップ５０８：記録マークおよびスペースの少なくとも一方が光ディスク１０１に形成される。この後、形成処理は終了する。
【０１２１】
以上、図４を参照して本発明の実施の形態の一例を説明した。
【０１２２】
例えば、図４に示される実施の形態では、ステップ５０１からステップ５０６が「第１パルスと第２パルスとを含むパルス列を生成するステップ」に対応し、ステップ５０７とステップ５０８とが「ある線速度で情報記録媒体を回転させながら情報記録媒体に前記パルス列を照射することによって、記録マークおよびスペースのうちの少なくとも１つを情報記録媒体上に形成するステップ」に対応し、ステップ５０５が「線速度と第２パルスのパワーレベルとに応じて、第１パルスのパワーレベルを決定するステップ」に対応する。さらに、中央パルス２Ａまたは中央パルス２Ｂが「記録マークおよびスペースのうち、記録マークの中央部分を形成するための第１パルス」に対応し、始端パルス１Ａと終端パルス３Ａと消去光パルスＡまたは始端パルス１Ｂと終端パルス３Ｂと消去光パルスＢが「記録マークおよびスペースのうち、記録マークの中央部分とは異なる部分を形成するための第２パルス」に対応する。
【０１２３】
しかし、本発明の形成処理手順が図４に示される実施の形態に限定されるわけではない。上述した「第１パルスと第２パルスとを含むパルス列を生成するステップ」、「ある線速度で情報記録媒体を回転させながら情報記録媒体に前記パルス列を照射することによっ
て、記録マークおよびスペースのうちの少なくとも１つを情報記録媒体上に形成するステップ」および「線速度と第２パルスのパワーレベルとに応じて、第１パルスのパワーレベルを決定するステップ」の機能を実行する限りは、任意の処理を行い得る。さらに、「記録マークおよびスペースのうち、記録マークの中央部分を形成するための第１パルス」および「記録マークおよびスペースのうち、記録マークの中央部分とは異なる部分を形成するための第２パルス」である限りは、任意のパルスでありえる。
【０１２４】
本発明の情報記録方法、情報記録装置および情報記録媒体によれば、線速度のみに依存することなく、線速度と第２パルスのパワーレベルとに依存して（第１パワー係数α（ｖ）に依存して）第１パルスのパワーレベルを決定する。なお、第１パルスは、記録マークおよびスペースのうち、記録マークの中央部分を形成するためのパルスであり、第２パルスは、記録マークおよびスペースのうち、記録マークの中央部分とは異なる部分を形成するためのパルスである。
【０１２５】
その結果、記録マークの中央部分のマーク幅が線速度と第２パルスのパワーレベルとに依存して形成される場合でも、記録マークの中央部分のマーク幅を適正に形成することができる。
【０１２６】
本発明の情報記録方法、情報記録装置および情報記録媒体によれば、高密度でかつ高速で情報をＣＡＶ記録する場合（例えば、ＤＶＤ−ＲＡＭに記録する場合）でも、マーク幅が均一な記録マークを形成することができる。さらに、オーバライト特性が良好な記録再生信号を得ることができる。その結果、情報記録媒体の全面に渡って信頼性の高い記録再生性能を確保できる。
（３．短記録マークのマーク幅の適正化）
図５Ａおよび図５Ｂは、短記録マークのマーク幅の適正化について説明するための図である。
【０１２７】
図５Ａは、記録光パルス列Ａ’の波形と記録光パルス列Ｂ’の波形とを示す。記録光パルス列Ａ’および記録光パルス列Ｂ’は、光ヘッド１０６（図１参照）の発光出力１１６で観測される。
【０１２８】
記録光パルス列Ａ’は、３Ｔ記録光パルスＡ’と１１Ｔ記録光パルスＡ’と消去光パルスＡ’とを含む。
【０１２９】
３Ｔ記録光パルスＡ’は、記録線速度が最低記録線速度ｖａである場合に、３Ｔ長さの記録マークを形成するための記録光パルスである。３Ｔ記録光パルスＡ’は、ピークパワーレベルＰｐｓ（ｖａ）を有するピークパルスである。
【０１３０】
１１Ｔ記録光パルスＡ’は、記録線速度が最低記録線速度ｖａである場合に、１１Ｔ長さの記録マークを形成するための記録光パルスである。１１Ｔ記録光パルスＡ’は、始端パルス１Ａ’と、中央パルス２Ａ’と、終端パルス３Ａ’とを含む。
【０１３１】
始端パルス１Ａ’は、１１Ｔ記録光パルスＡ’の前端近傍に配置されており、ピークパワーレベルＰｐｌ１（ｖａ）を有する。中央パルス２Ａ’は、１１Ｔ記録光パルスＡ’の中央部分に配置されている。終端パルス３Ａ’は、１１Ｔ記録光パルスＡ’の後端近傍に配置されており、ピークパワーレベルＰｐｌ３（ｖａ）を有する。
【０１３２】
消去光パルスＡ’は、記録線速度が最低記録線速度ｖａである場合に、スペースを形成するための光パルスである。消去光パルスＡ’は、３Ｔ記録光パルスＡ’と１１Ｔ記録光パルスＡ’との間に配置されており、消去パワーレベルＰｅ（ｖａ）を有する。
【０１３３】
Ｐｐｓ（ｖａ）、Ｐｐｌ１（ｖａ）、Ｐｐｌ３（ｖａ）およびＰｅ（ｖａ）は、Ｐｅ（ｖａ）＜Ｐｐｌ１（ｖａ）＝Ｐｐｌ３（ｖａ）＜Ｐｐｓ（ｖａ）の関係を有する。
【０１３４】
記録光パルス列Ｂ’は、３Ｔ記録光パルスＢ’と１１Ｔ記録光パルスＢ’と消去光パルスＢ’とを含む。
【０１３５】
３Ｔ記録光パルスＢ’は、記録線速度が最高記録線速度ｖｂである場合に、３Ｔ長さの記録マークを形成するための記録光パルスである。３Ｔ記録光パルスＢ’は、ピークパワーレベルＰｐｓ（ｖｂ）を有するピークパルスである。
【０１３６】
１１Ｔ記録光パルスＢ’は、記録線速度が最高記録線速度ｖｂである場合に、１１Ｔ長さの記録マークを形成するための記録光パルスである。１１Ｔ記録光パルスＢ’は、始端パルス１Ｂ’と、中央パルス２Ｂ’と、終端パルス３Ｂ’とを含む。
【０１３７】
始端パルス１Ｂ’は、１１Ｔ記録光パルスＢ’の前端近傍に配置されており、ピークパワーレベルＰｐｌ１（ｖｂ）を有する。中央パルス２Ｂ’は、１１Ｔ記録光パルスＢ’の中央部分に配置されている。終端パルス３Ｂ’は、１１Ｔ記録光パルスＢ’の後端近傍に配置されており、ピークパワーレベルＰｐｌ３（ｖｂ）を有する。
【０１３８】
消去光パルスＢ’は、記録線速度が最高記録線速度ｖｂである場合に、スペースを形成するための光パルスである。消去光パルスＢ’は、３Ｔ記録光パルスＢ’と１１Ｔ記録光パルスＢ’との間に配置されており、消去パワーレベルＰｅ（ｖｂ）を有する。
【０１３９】
Ｐｐｓ（ｖｂ）、Ｐｐｌ１（ｖｂ）、Ｐｐｌ３（ｖｂ）およびＰｅ（ｖｂ）は、Ｐｅ（ｖｂ）＜Ｐｐｌ１（ｖｂ）＝Ｐｐｌ３（ｖｂ）＜Ｐｐｓ（ｖｂ）の関係を有する。
【０１４０】
なお、１１Ｔ記録光パルスは、始端パルス１と、終端パルス３との双方を含むことに限定されない。１１Ｔ記録光パルスは、熱エネルギーが光ディスク１０１の記録材料に与える影響の程度に応じて、始端パルス１と、終端パルス３とのうちの少なくとも１つを含んでよい。
【０１４１】
さらに、１１Ｔ記録光パルスの記録パワーレベルは２値（Ｐｍ＜Ｐｐ１＝Ｐｐ３）に限定されない。１１Ｔ記録光パルスの記録パワーレベルは２値よりも多くてよい。例えば、１１Ｔ記録光パルスの記録パワーレベルは３値（Ｐｐ１≠Ｐｐ３、かつＰｍ＜Ｐｐ１、かつＰｍ＜Ｐｐ３）でよい。なお、Ｐｍは中央パルスのミドルパワーレベルを示す。
【０１４２】
さらに、中央パルス２Ａ’および中央パルス２Ｂ’は、所定の長さを有する１パルスであることに限らない。
【０１４３】
例えば、比較的低記録レートで記録マークを形成する場合には、中央パルス２Ａ’および中央パルス２Ｂ’は、マルチパルス列でよい。例えば、マルチパルス列は、パルス幅が０．５Ｔである複数のパルスを含む。
【０１４４】
例えば、高密度でかつ高速で記録マークを光ディスク１０１に形成する場合（例えば、ＤＶＤ−ＲＡＭに形成する場合）には、中央パルス２Ａ’および中央パルス２Ｂ’は、所定の長さを有する１パルスでよい。マルチパルス列の積分熱エネルギーと等しいミドルパワーレベルＰｍのパルスを照射することにより、記録マーク幅を適性に制御することが可能である。例えば、光ディスク１０１が相変化記録材料からなる場合、記録レートが高くなると記録光パルスの照射時間が短くなる。したがって、ミドルパワーレベルＰｍのパル
スの照射によって記録マークの形成部分が急激に冷却される。その結果、マルチパルス列で冷却しなくても非晶質のマークの形成が可能になる。
【０１４５】
図５Ｂは、３Ｔ記録マークＡ’と１１Ｔ記録マークＡ’とスペースＡ’ならびに３Ｔ記録マークＢ’と１１Ｔ記録マークＢ’とスペースＢ’を示す。
【０１４６】
３Ｔ記録マークＡ’は、記録線速度が最低記録線速度ｖａである場合に３Ｔ記録光パルスＡ’を光ディスク１０１の情報層（不図示）に照射することによって、１１Ｔ記録マークＡ’は、記録線速度が最低記録線速度ｖａである場合に１１Ｔ記録光パルスＡ’を情報層に照射することによって、さらに、スペースＡ’は、記録線速度が最低記録線速度ｖａである場合に消去光パルスＡ’を情報層に照射することによって、光ディスク１０１に形成される。
【０１４７】
３Ｔ記録マークＢ’は、記録線速度が最高記録線速度ｖｂである場合に３Ｔ記録光パルスＢ’を情報層に照射することによって、１１Ｔ記録マークＢ’は、記録線速度が最高記録線速度ｖｂである場合に１１Ｔ記録光パルスＢ’を情報層に照射することによって、さらに、スペースＢ’は、記録線速度が最高記録線速度ｖｂである場合に消去光パルスＢ’を情報層に照射することによって、光ディスク１０１に形成される。
【０１４８】
なお、比較的短い記録マーク（例えば、３Ｔ記録マークＡ’）を形成するためのパルスのパワーレベルと比較的長い記録マーク（例えば、１１Ｔ記録マークＡ’）を形成するためのパルスのパワーレベルとが同じである場合には、記録レートが高くなるに従って、比較的短い記録マークの幅と比較的長い記録マークの幅とは均一に形成されにくくなる。記録レートが高くなると、比較的短い記録マークを形成するための記録光照射時間が短くなり、記録マーク非晶質化のための熱エネルギーが不足するためである。
【０１４９】
したがって、記録線速度が最低記録線速度ｖａである場合には、ピークパワーレベルＰｐｓ（ｖａ）は、ピークパワーレベルＰｐｌ（ｖａ）よりもやや高めに設定される。その結果、３Ｔ記録マークＡ’の記録マーク幅ＭＳａは、１１Ｔ記録マークＡ’の記録マーク幅ＭＬａとをほぼ等しくできる。
【０１５０】
以下、図５Ａ、図５Ｂを参照して、レーザパワー制御回路１１５の動作を説明する。
【０１５１】
ピークパワーレベルＰｐｌ（ｖａ）とピークパワーレベルＰｐｌ（ｖｂ）とが決定されている場合には、ピークパワーレベルＰｐｌ（ｖ）は、記録線速度ｖのみを変数とした連続関数Ｐｐｌ＝ｆｐｌ（ｖ）によって求めることができる。ピークパワーレベルＰｐｌ（ｖ）は、記録マークの非晶質化に必要な熱エネルギーの最高温度を決定するため、熱エネルギーの移動速度である記録線速度に対する依存性が高いからである。
【０１５２】
消去パワーレベルＰｅ（ｖａ）と消去パワーレベルＰｅ（ｖｂ）とが決定されている場合には、消去パワーレベルＰｅ（ｖ）は、記録線速度ｖのみを変数とした連続関数Ｐｅ＝ｆｅ（ｖ）によって求めることができる。消去パワーレベルＰｅ（ｖ）は、スペースの結晶化に必要な熱エネルギーの最適温度を決定するため、熱エネルギーの移動速度である記録線速度に対する依存性が高いからである。
【０１５３】
しかし、ピークパワーレベルＰｐｓ（ｖ）は、記録線速度ｖのみを変数とした連続関数Ｐｐｓ＝ｆｐｓ（ｖ）によって求めることができない。Ｐｐｓ’（ｖｂ）の場合には、記録マークの中央部分の幅ＭＳｂ’は、最適な３Ｔ記録マークの幅ＭＳｂと比べて細い（図３Ｂ参照）。Ｐｐｓ’（ｖｂ）は、最適であるピークパワーレベルＰｐｓ（ｖｂ）より低いからである（図５Ａ参照）。
【０１５４】
ピークパワーレベルＰｐｓは、３Ｔ記録マークのマーク幅と１１Ｔ記録マークのマーク幅とを均一にする熱エネルギーを決定する。したがって、ピークパワーレベルＰｐｓは、ピークパワーレベルＰｐｌ（１１Ｔ記録マーク幅を制御する熱エネルギーの最高温度を決定する）と、消去パワーレベルＰｅ（スペースの結晶化に必要な熱エネルギーの最適温度を決定する）とに依存する。
【０１５５】
第２パワー係β数（ｖ）は、ピークパワーレベルＰｐｓとピークパワーレベルＰｐｌと消去パワーレベルＰｅとの依存関係を規定する係数（パワー比率）を定義する。第２パワー係β数（ｖ）は、記録線速度ｖにも依存する。一般的に記録線速度ｖが大きくなるに従って、第２パワー係β数（ｖ）も大きくなる。
【０１５６】
記録線速度ｖの減少に応じて、ピークパワーレベルＰｐｓとピークパワーレベルＰｐｌとは等しくなる。例えば、３Ｔ記録マークのマーク幅と１１Ｔ記録マークのマーク幅とを均一に形成するために最適なピークパワーレベルＰｐｓは、記録線速度ｖが小さい場合には、記録線速度が大きい場合に比べ、ピークパワーレベルＰｐｌに近くなる。
【０１５７】
ピークパワーレベルＰｐｓ（ｖ）は、記録線速度ｖ、ピークパワーレベルＰｐｌ（ｖ）および消去パワーレベルＰｅ（ｖ）に依存するため、式（４）の関係を有する。
【０１５８】
Ｐｐｓ＝β（ｖ）×（Ｐｐｌ−Ｐｅ）＋Ｐｅ・・・（４）
レーザパワー制御回路１１５は、式（４）に従ってピークパワーレベルＰｐｓを制御する。この場合には、記録線速度ｖａ時の３Ｔ記録マークのマーク幅ＭＳａと１１Ｔ記録マークのマーク幅ＭＬａとが、また、記録線速度ｖｂ時のマーク幅ＭＳｂと１１Ｔ記録マークのマーク幅ＭＬｂとが均一になる。さらに第２パワー係数β（ｖ）は記録線速度ｖの連続関数β（ｖ）であるため、記録線速度ｖ（ｖａ≦ｖ≦ｖｂ）である場合に、３Ｔ記録マークと１１Ｔ記録マークのマーク幅を均一に形成することができる。
【０１５９】
なお、ピークパワーレベルＰｐｓ（ｖ）、記録線速度ｖ、ピークパワーレベルＰｐｌ（ｖ）および消去パワーレベルＰｅ（ｖ）の関係は、式（４）の関係に限定されない。ピークパワーレベルＰｐｓ（ｖ）、記録線速度ｖ、ピークパワーレベルＰｐｌ（ｖ）および消去パワーレベルＰｅ（ｖ）の関係は、式（５）または式（６）の関係を有していてもよい。
【０１６０】
Ｐｐｓ＝β（ｖ）×Ｐｐｌ        ・・・（５）
Ｐｐｓ＝β（ｖ）×Ｐｐｌ＋Ｐｐｌ・・・（６）
ピークパワーレベルＰｐｓ（ｖ）がピークパワーレベルＰｐｌの絶対値に対して強い依存性を有する場合は、レーザパワー制御回路１１５は、式（５）に従ってピークパワーレベルＰｐｓ（ｖ）を制御する。
【０１６１】
ピークパワーレベルＰｐｓ（ｖ）がピークパワーレベルＰｐｌ（ｖ）の差分に対する依存性が強い場合は、レーザパワー制御回路１１５は、式（６）に従ってピークパワーレベルＰｐｓ（ｖ）を制御する。
【０１６２】
以下、図５Ａおよび図５Ｂを参照して、第２パワー係数β（ｖ）の最適化について説明する。
【０１６３】
例えば、記録線速度ｖｂで、１１Ｔ記録マークをまず下地に記録して、その上に３Ｔ記録マークをオーバーライトする。この時オーバーライトした３Ｔ記録マークの再生ジッタが良好になるβ（ｖ）を求める。もし、β（ｖ）が適切な値の範囲にない場合には、１１
Ｔ記録マークのマーク幅ＭＬｂと比べて、３Ｔ記録マークのマーク幅ＭＳｂ’は狭くなる。したがって、１１Ｔ記録マークを３Ｔ記録マークでオーバーライトしても下地に記録した１１Ｔ記録マークが消し残り、３Ｔ再生ジッタが劣化する。
【０１６４】
以上、図１、図５Ａおよび図５Ｂを参照して本発明の実施の形態の一例を説明した。
【０１６５】
例えば、図１、図５Ａおよび図５Ｂに示される実施の形態では、システム制御回路１０２と、変調回路１０３と、記録パルス列生成回路１０４と、レーザパワー制御回路１１５とが「第１ピークパルスと第２ピークパルスとを含むパルス列を生成するパルス列生成手段」に対応し、光ヘッド１０６と、スピンドルモータ１０７と、システム制御回路１０２と、記録系回路部１２０とが「ある線速度で情報記録媒体を回転させながら情報記録媒体にパルス列を照射することによって、長記録マーク、短記録マークおよびスペースのうちの少なくとも１つを情報記録媒体上に形成する形成手段」に対応し、レーザパワー制御回路１１５が「線速度と第２ピークパルスのパワーレベルとに応じて、第１ピークパルスのパワーレベルを決定するパワーレベル決定手段」に対応する。さらに、３Ｔ記録マークＡ’または３Ｔ記録マークＢ’が「短記録マークを形成するための第１ピークパルス」に対応し、始端パルス１Ａ’または終端パルス３Ａ’あるいは始端パルス１Ｂ’または終端パルス３Ｂ’が「長記録マークを形成するための第２ピークパルス」に対応する。
【０１６６】
しかし、本発明の情報記録装置１００が図１、図５Ａおよび図５Ｂに示される実施の形態に限定されるわけではない。上述した「第１ピークパルスと第２ピークパルスとを含むパルス列を生成するパルス列生成手段」、「ある線速度で情報記録媒体を回転させながら情報記録媒体にパルス列を照射することによって、長記録マーク、短記録マークおよびスペースのうちの少なくとも１つを情報記録媒体上に形成する形成手段」および「線速度と第２ピークパルスのパワーレベルとに応じて、第１ピークパルスのパワーレベルを決定するパワーレベル決定手段」の機能を有する限りは、任意の構成を有しえる。さらに、「短記録マークを形成するための第１ピークパルス」および「長記録マークを形成するための第２ピークパルス」である限りは、任意のパルスでありえる。
【０１６７】
図６Ａ〜図６Ｄは、第２パワー係数β（ｖ）と記録線速度ｖとの関係を示す。第２パワー係数β（ｖ）の値を記録線速度ｖで最適化した場合には、光ディスク１０１の材料や記録線速度の絶対値の違いにより、第２パワー係数β（ｖ）と記録線速度ｖとの関係にはいくつかのパターンがある。
【０１６８】
図６Ａは、第２パワー係数β（ｖ）と記録線速度ｖとの関係（パターン５）を示す。第２パワー係数β（ｖ）は、記録線速度ｖａから記録線速度ｖｂまでの間では、記録線速度ｖの増加にともなってほぼ直線的に増加する。なお、第２パワー係数β（ｖ）は、記録線速度ｖａから記録線速度ｖｂまでの間では、記録線速度ｖの増加にともなってほぼべき乗に増加してもよい（破線で描かれたβｍ（ｖ）参照）。
【０１６９】
図６Ｂは、第２パワー係数β（ｖ）と記録線速度ｖとの関係（パターン６）を示す。
【０１７０】
第２パワー係数β（ｖ）は、記録線速度ｖ１から記録線速度ｖｂまでの間（記録線速度ｖの高速側）では、記録線速度ｖの変化に依存することなく、ほぼ一定である。記録線速度ｖ１から記録線速度ｖｂまでの間では、ピークパワーレベルＰｐｌと消去パワーレベルＰｅとが記録線速度ｖの変化にともなって変化しても、第２パワー係数β（ｖ）はほぼ一定である。したがって、ピークパワーレベルＰｐｌとピークパワーレベルＰｐｓとのパワー比率はほぼ一定である。
【０１７１】
第２パワー係数β（ｖ）は、記録線速度ｖａから記録線速度ｖ１までの間では、記録線
速度ｖの増加にともなってほぼ直線的に増加する。
【０１７２】
図６Ｃは、第２パワー係数β（ｖ）と記録線速度ｖとの関係（パターン７）を示す。
【０１７３】
第２パワー係数β（ｖ）は、記録線速度ｖａから記録線速度ｖ２までの間（記録線速度ｖの低速側）では、記録線速度ｖの変化に依存することなく、ほぼ一定である。記録線速度ｖａから記録線速度ｖ２までの間では、ピークパワーレベルＰｐｌと消去パワーレベルＰｅとが記録線速度ｖの変化にともなって変化しても、第２パワー係数β（ｖ）はほぼ一定である。したがって、ピークパワーレベルＰｐｌとピークパワーレベルＰｐｓとのパワー比率はほぼ一定である。
【０１７４】
第２パワー係数β（ｖ）は、記録線速度ｖ２から記録線速度ｖｂまでの間では、記録線速度ｖの増加にともなってほぼ直線的に増加する。
【０１７５】
図６Ｄは、第２パワー係数β（ｖ）と記録線速度ｖとの関係（パターン８）を示す。
【０１７６】
第２パワー係数β（ｖ）は、記録線速度ｖ３から記録線速度ｖ４までの間（記録線速度ｖの中間速部分）では、記録線速度ｖの変化に依存することなく、ほぼ一定である。記録線速度ｖ３から記録線速度ｖ４までの間では、ピークパワーレベルＰｐｌと消去パワーレベルＰｅとが記録線速度ｖの変化にともなって変化しても、第２パワー係数β（ｖ）はほぼ一定である。したがって、ピークパワーレベルＰｐｌとピークパワーレベルＰｐｓとのパワー比率はほぼ一定である。
【０１７７】
第２パワー係数β（ｖ）は、記録線速度ｖａから記録線速度ｖ３までの間、および記録線速度ｖ４から記録線速度ｖｂまでの間では、記録線速度ｖの増加にともなってほぼ直線的に増加する。
【０１７８】
なお、図５Ａおよび図５Ｂを参照して説明したように、ピークパワーレベルＰｐｌとピークパワーレベルＰｐｓとは異なった値（Ｐｐｌ≠Ｐｐｓ）であることに限定されない。ピークパワーレベルＰｐｌとピークパワーレベルＰｐｓとは同じ値（Ｐｐｌ＝Ｐｐｓ）でよい。例えば、図６Ｂを参照して説明されたように、第２パワー係数β（ｖ）と記録線速度ｖとの関係がパターン６である場合には、記録線速度ｖ１から記録線速度ｖｂまでの間では、Ｐｐｌ＝Ｐｐｓでよい。例えば、図６Ｃを参照して説明されたように、第２パワー係数β（ｖ）と記録線速度ｖとの関係がパターン７である場合には、記録線速度ｖａから記録線速度ｖ２までの間では、Ｐｐｌ＝Ｐｐｓでよい。
【０１７９】
なお、比較的短い記録マークは、変調符号の最も短い記録マークである３Ｔ記録マークのみとしたが、最短記録マークから任意の長さの記録マークまでを含んでもよい。例えば、比較的短い記録マークとは、３Ｔ記録マークと４Ｔ記録マークとの２種の長さの記録マークでよい。
【０１８０】
なお、比較的短い記録マークが３Ｔであること、比較的長い記録マークが１１Ｔであることに限定されない。比較的長い記録マークが比較的短い記録マークよりも長ければよい（例えば、比較的長い記録マーク＝５Ｔ、比較的短い記録マーク＝４Ｔ）。
【０１８１】
なお、光ディスク１０１は、ピークパワーレベルＰｐｓ（ｖ）が予め記録された領域を有していてもよい。ピークパワーレベルＰｐｓ（ｖ）は、記録線速度ｖとピークパワーレベルＰｐｌ（ｖ）とに応じて決定される。
【０１８２】
第２パワー係数β（ｖ）は、光ディスク１０１の記録材料と記録線速度とによってある
程度決定することができるため、光ディスク１０１の製造者が予め推奨された第２パワー係数β（ｖ）を決定する。例えば、光ディスク１０１の製造者は、第２パワー係数β（ｖ）の値、又は第２パワー係数β（ｖ）の演算式を光ディスク１０１のコントロールトラックに予め書き込んでおく。その結果、第２パワー係数β（ｖ）の最適化処理時間を短縮することができる。なお、第２パワー係数β（ｖ）は、記録線速度ｖとピークパワーレベルＰｐｓ（ｖ）とピークパワーレベルＰｐｌ（ｖ）との関係を示す。
【０１８３】
図７は、短記録マークのマーク幅が適正に形成されるように記録マークを光ディスクに形成する形成処理手順を示す。
【０１８４】
形成処理手順は、パワーレベル決定ステップ（ステップ６０１〜ステップ６０５）と、記録パルス列生成ステップ（ステップ６０６）と、記録マーク形成ステップ（ステップ６０７、ステップ６０８）とを含む。
【０１８５】
パワーレベル決定ステップは、例えば、システム制御回路１０２と変調回路１０３とによって実行される。
【０１８６】
記録パルス列生成ステップは、例えば、システム制御回路１０２と、変調回路１０３と、記録パルス列生成回路１０４と、レーザパワー制御回路１１５とによって実行される。
【０１８７】
記録マーク形成ステップは、例えば、光ヘッド１０６と、スピンドルモータ１０７と、システム制御回路１０２と、記録系回路部１２０とによって実行される。
【０１８８】
以下、図１および図７を参照して形成処理手順をステップごとに説明する。
【０１８９】
ステップ６０１：スピンドルモータ１０７の回転速度を光ディスク１０１が有する記録領域における線速度（ｖ）に設定する。
【０１９０】
ステップ６０２：光ヘッド１０６を記録領域にシークし、記録マーク形成位置を記録領域に設定する。
【０１９１】
ステップ６０３：現在位置での記録領域の線速度（ｖ）に基づいて消去パワーレベルＰｅ（ｖ）を決定する。
【０１９２】
ステップ６０４：現在位置での記録領域の線速度（ｖ）に基づいて長記録マークピークのパワーレベルＰｐｌ（ｖ）を決定する。
【０１９３】
ステップ６０５：ピークパワーレベルＰｐｌ（ｖ）または、消去パワーレベルＰｅ（ｖ）とピークパワーレベルＰｐｌ（ｖ）に応じて、短記録マークのパワーレベルＰｐｓ（ｖ）を決定する。
【０１９４】
ステップ６０６：記録パルス列生成回路１０４は、決定された消去パワーレベルＰｅ（ｖ）、ピークパワーレベルＰｐｓ（ｖ）およびピークパワーレベルＰｐｌ（ｖ）に基づいて、記録パルス列を生成する。
【０１９５】
ステップ６０７：生成された記録パルス列をレーザ駆動回路１０５に入力し、光ヘッド１０６に搭載された半導体レーザ装置を駆動する。半導体レーザ装置からは、生成されたパルス列に対応する光が照射される。
【０１９６】
ステップ６０８：記録マークおよびスペースの少なくとも一方が光ディスク１０１に形
成される。この後、形成処理は終了する。
【０１９７】
以上、図７を参照して本発明の実施の形態の一例を説明した。
【０１９８】
例えば、図７に示される実施の形態では、ステップ６０１からステップ６０６が「第１ピークパルスと第２ピークパルスとを含むパルス列を生成するステップ」に対応し、ステップ６０７とステップ６０８とが「ある線速度で情報記録媒体を回転させながら情報記録媒体にパルス列を照射することによって、長記録マーク、短記録マークおよびスペースのうちの少なくとも１つを情報記録媒体上に形成するステップ」に対応し、ステップ６０５が「線速度と第２ピークパルスのパワーレベルとに応じて、第１ピークパルスのパワーレベルを決定するステップ」に対応する。さらに、３Ｔ記録マークＡ’または３Ｔ記録マークＢ’が「短記録マークを形成するための第１ピークパルス」に対応し、始端パルス１Ａ’または終端パルス３Ａ’あるいは始端パルス１Ｂ’または終端パルス３Ｂ’が「長記録マークを形成するための第２ピークパルス」に対応する。
【０１９９】
しかし、本発明の形成処理手順が図７に示される実施の形態に限定されるわけではない。上述した「第１ピークパルスと第２ピークパルスとを含むパルス列を生成するステップ」、「ある線速度で情報記録媒体を回転させながら情報記録媒体にパルス列を照射することによって、長記録マーク、短記録マークおよびスペースのうちの少なくとも１つを情報記録媒体上に形成するステップ」および「線速度と第２ピークパルスのパワーレベルとに応じて、第１ピークパルスのパワーレベルを決定するステップ」の機能を実行する限りは、任意の処理を行い得る。さらに、「短記録マークを形成するための第１ピークパルス」および「長記録マークを形成するための第２ピークパルス」である限りは、任意のパルスでありえる。
【０２００】
本発明の情報記録方法、情報記録装置および情報記録媒体によれば、線速度のみに依存することなく、長記録マークを形成するための第２ピークパルスのパワーレベルと線速度とに依存して（第２パワー係数β（ｖ）に依存して）短記録マークを形成するための第１ピークパルスのパワーレベルを決定する。
【０２０１】
その結果、短記録マークの幅が線速度と第２ピークパルスのパワーレベルとに依存して形成される場合でも、短記録マークの幅を適正に形成することができる。
【０２０２】
本発明の情報記録方法、情報記録装置および情報記録媒体によれば、比較的長い記録マークのピークパワーレベルと比較的短い記録マークのピークパワーレベルとの比率である第２パワー係数β（ｖ）が記録線速度に応じて変化するため、比較的長い記録マークの幅と比較的短い記録マークの幅とが均一になり、光ディスク全面に渡ってオーバライト特性が均一な記録再生信号を得ることができる。
【０２０３】
以上のように、本発明の好ましい実施形態を用いて本発明を例示してきたが、本発明は、この実施形態に限定して解釈されるべきものではない。本発明は、特許請求の範囲によってのみその範囲が解釈されるべきであることが理解される。当業者は、本発明の具体的な好ましい実施形態の記載から、本発明の記載および技術常識に基づいて等価な範囲を実施することができることが理解される。本明細書において引用した特許、特許出願および文献は、その内容自体が具体的に本明細書に記載されているのと同様にその内容が本明細書に対する参考として援用されるべきであることが理解される。
【産業上の利用可能性】
【０２０４】
本発明の情報記録方法、情報記録装置および情報記録媒体によれば、線速度のみに依存することなく、線速度と第２パルスのパワーレベルとに依存して第１パルスのパワーレベ
ルを決定する。なお、第１パルスは、記録マークおよびスペースのうち、記録マークの中央部分を形成するためのパルスであり、第２パルスは、記録マークおよびスペースのうち、記録マークの中央部分とは異なる部分を形成するためのパルスである。
【０２０５】
その結果、記録マークの中央部分のマーク幅が線速度と第２パルスのパワーレベルとに依存して形成される場合でも、記録マークの中央部分のマーク幅を適正に形成することができる。
【０２０６】
本発明の情報記録方法、情報記録装置および情報記録媒体によれば、線速度のみに依存することなく、長記録マークを形成するための第２ピークパルスのパワーレベルと線速度とに依存して短記録マークを形成するための第１ピークパルスのパワーレベルを決定する。
【０２０７】
その結果、短記録マークの幅が線速度と第２ピークパルスのパワーレベルとに依存して形成される場合でも、短記録マークの幅を適正に形成することができる。
【０２０８】
本発明の情報記録方法、情報記録装置および情報記録媒体によれば、高密度でかつ高速で情報をＣＡＶ記録する場合（例えば、ＤＶＤ−ＲＡＭに記録する場合）でも、マーク幅が均一な記録マークを形成することができる。さらに、オーバライト特性が良好な記録再生信号を得ることができる。その結果、情報記録媒体の全面に渡って信頼性の高い記録再生性能を確保できる。
【図面の簡単な説明】
【０２０９】
【図１】図１は本発明の実施の形態の情報記録装置１００の構成を示す図
【図２Ａ】図２Ａは記録マークの中央部分のマーク幅の適正化に関連して記録光パルス波形を示す図
【図２Ｂ】図２Ｂは記録マークの中央部分のマーク幅の適正化に関連して記録マーク形状を示す図
【図２Ｃ】図２Ｃは記録マークの中央部分のマーク幅の適正化に関連して再生波形を示す図
【図３Ａ】図３Ａは第１パワー係数α（ｖ）と記録線速度ｖとの関係（パターン１）を示す図
【図３Ｂ】図３Ｂは第１パワー係数α（ｖ）と記録線速度ｖとの関係（パターン２）を示す図
【図３Ｃ】図３Ｃは第１パワー係数α（ｖ）と記録線速度ｖとの関係（パターン３）を示す図
【図３Ｄ】図３Ｄは第１パワー係数α（ｖ）と記録線速度ｖとの関係（パターン４）を示す図
【図４】図４は記録マークの中央部分のマーク幅が適正に形成されるように記録マークを光ディスクに形成する形成処理手順を示すフローチャート
【図５Ａ】図５Ａは短記録マークのマーク幅の適正化に関連して記録パルス波形を示す図
【図５Ｂ】図５Ｂは短記録マークのマーク幅の適正化に関連して記録マーク形状を示す図
【図６Ａ】図６Ａは第２パワー係数β（ｖ）と記録線速度ｖとの関係（パターン５）を示す図
【図６Ｂ】図６Ｂは第２パワー係数β（ｖ）と記録線速度ｖとの関係（パターン６）を示す図
【図６Ｃ】図６Ｃは第２パワー係数β（ｖ）と記録線速度ｖとの関係（パターン７）を示す図
【図６Ｄ】図６Ｄは第２パワー係数β（ｖ）と記録線速度ｖとの関係（パターン８）を示す図
【図７】図７は短記録マークのマーク幅が適正に形成されるように記録マークを光ディスクに形成する形成処理手順を示すフローチャート
【符号の説明】
【０２１０】
１００  情報記録装置
１０１  光ディスク
１０２  システム制御回路
１０３  変調回路
１０４  記録パルス列生成回路
１０５  レーザ駆動回路
１０６  光ヘッド
１０７  スピンドルモータ
１０８  線速度設定回路
１０９  再生信号処理回路
１１０  復調回路
１１１  記録クロック設定回路
１１３  ジッタ検出回路
１１４  ＢＥＲ検出回路
１１５  レーザパワー制御回路
１２０  記録系回路部
１３０  再生系回路部
１４０  検出回路部
【図１】
2007012273.tif 000003
【図２Ａ】
2007012273.tif 000004
【図２Ｂ】
2007012273.tif 000005
【図２Ｃ】
2007012273.tif 000006
【図３Ａ】
2007012273.tif 000007
【図３Ｂ】
2007012273.tif 000008
【図３Ｃ】
2007012273.tif 000009
【図３Ｄ】
2007012273.tif 000010
【図４】
2007012273.tif 000011
【図５Ａ】
2007012273.tif 000012
【図５Ｂ】
2007012273.tif 000013
【図６Ａ】
2007012273.tif 000014
【図６Ｂ】
2007012273.tif 000015
【図６Ｃ】
2007012273.tif 000016
【図６Ｄ】
2007012273.tif 000017
【図７】
2007012273.tif 000018